(57)【要約】【課題】合成画像に生じる色むらを良好に補正できる４板式の投写型映像表示装置を提供する。【解決手段】投写型映像表示装置１００は、黄用調整信号Ｙｅ’に応じて、黄成分光を変調する液晶パネル３０Ｙｅを備える。補正部１３５は、赤入力信号Ｒｉｎ、緑入力信号Ｇｉｎ、青入力信号Ｂｉｎ及び黄調整信号Ｙｅ’を補正することによって、赤成分光、緑成分光、青成分光及び黄成分光の合成光における色むらを抑制する。【選択図】図２
2010061045.tif 000002
【特許請求の範囲】
【請求項１】
赤入力信号に応じて赤成分光を変調する赤変調素子と、
緑入力信号に応じて緑成分光を変調する緑変調素子と、
青入力信号に応じて青成分光を変調する青変調素子と、
前記赤入力信号、前記緑入力信号及び前記青入力信号に基づいて算出される第４色調整信号に応じて、前記赤成分光、前記緑成分光及び前記青成分光のいずれかに重畳される第４色成分光を変調する第４色変調素子と、
前記赤入力信号、前記緑入力信号、前記青入力信号及び前記第４色調整信号を補正することによって、前記赤成分光、前記緑成分光、前記青成分光及び前記第４色成分光の合成光における色むらを抑制する補正部と
を備えることを特徴とする投写型映像表示装置。
【請求項２】
前記補正部は、
前記第４色調整信号を補正することによって、前記第４色成分光の単独光における色むらを抑制する第１補正部と、
前記赤入力信号、前記緑入力信号及び前記青入力信号を一括して補正することによって、前記赤成分光、前記緑成分光及び前記青成分光の合成光における色むらを抑制する第２補正部と
を備えることを特徴とする請求項１に記載の投写型映像表示装置。
【請求項３】
前記赤成分光、前記緑成分光及び前記青成分光のいずれかに前記第４色成分光が重畳される否かを判定する重畳判定部を備え、
前記第１補正部は、前記重畳判定部によって前記第４色成分光が重畳されると判定された場合に、前記第４色調整信号を補正する
ことを特徴とする請求項２に記載の投写型映像表示装置。
【発明の詳細な説明】
【技術分野】
【０００１】
本発明は、色むら補正機能を有する投写型映像表示装置に関する。
【背景技術】
【０００２】
従来、赤成分光を変調する液晶パネルと、緑成分光を変調する液晶パネルと、青成分光を変調する液晶パネルとを備えた３板式の投写型映像表示装置が広く知られている。
【０００３】
３板式の投写型映像表示装置では、各液晶パネルにおける液晶層の層厚バラツキなどに起因して、各液晶パネルから出射される赤成分光、緑成分光及び青成分光（以下、「Ｒ，Ｇ，Ｂ光」という。）の合成光（画像）に色むらが生じる場合がある。
【０００４】
そこで、合成光における色むらの補正を目的として、投写型映像表示装置の製造工程において、スクリーン上に生じる合成光の色むらの位置と程度とに応じて補正係数を設定する手法が提案されている（例えば、特許文献１参照）。Ｒ，Ｇ，Ｂ光それぞれに係る入力信号に補正係数を乗算することによって、スクリーン上に色むらが生じることを抑制できる。
【特許文献１】平９−１４６４９６号公報
【発明の開示】
【発明が解決しようとする課題】
【０００５】
ここで、Ｒ，Ｇ，Ｂ光いずれかに重畳される第４色成分光を変調する液晶パネルを備える４板式の投写型映像表示装置が検討されている。４板式の投写型映像表示装置によれば、第４色成分光を重畳することによって、合成光の輝度を向上させることができる。第４色成分光としては、例えば、黄成分光を用いることができる。
【０００６】
しかしながら、Ｒ，Ｇ，Ｂ光に第４色成分光を重畳させることによって、合成光には、Ｒ，Ｇ，Ｂ光によるものとは異なる色むらが生じる場合がある。そのため、上記特許文献１に記載の手法では、合成光の色むらを十分に抑制できないおそれがある。
【０００７】
本発明は、上述の状況に鑑みてなされたものであり、合成光に生じる色むらを抑制できる４板式の投写型映像表示装置を提供することを目的とする。
【課題を解決するための手段】
【０００８】
本発明の特徴に係る投写型映像表示装置は、赤入力信号に応じて赤成分光を変調する赤変調素子と、緑入力信号に応じて緑成分光を変調する緑変調素子と、青入力信号に応じて青成分光を変調する青変調素子と、赤入力信号、緑入力信号及び青入力信号に基づいて算出される第４色調整信号に応じて、赤成分光、緑成分光及び青成分光のいずれかに重畳される第４色成分光を変調する第４色変調素子と、赤入力信号、緑入力信号、青入力信号及び第４色調整信号を補正することによって、赤成分光、緑成分光、青成分光及び第４色成分光の合成光における色むらを抑制する補正部とを備えることを要旨とする。
【０００９】
本発明の特徴に係る投写型映像表示装置によれば、４板式の投写型映像表示装置１００において、黄成分光に特有の色むらを効果的に抑制することができる。
【００１０】
本発明の特徴において、補正部は、第４色調整信号を補正することによって、第４色成分光の単独光における色むらを抑制する第１補正部と、赤入力信号、緑入力信号及び青入力信号を一括して補正することによって、赤成分光、緑成分光及び青成分光の合成光における色むらを抑制する第２補正部とを備えていてもよい。
【００１１】
本発明の特徴において、赤成分光、緑成分光及び青成分光のいずれかに第４色成分光が重畳される否かを判定する重畳判定部を備え、第１補正部は、重畳判定部によって第４色成分光が重畳されると判定された場合に、第４色調整信号を補正してもよい。
【発明の効果】
【００１２】
本発明によれば、合成画像に生じる色むらを良好に補正できる４板式の投写型映像表示装置を提供することができる。
【発明を実施するための最良の形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
（投写型映像表示装置の概略）
以下において、実施形態に係る投写型映像表示装置の概略について、図面を参照しながら説明する。図１は、実施形態に係る投写型映像表示装置１００の概略を示す図である。
【００１６】
投写型映像表示装置１００は、後述するように、赤成分光、緑成分光及び青成分光に加えて、第４色成分光として黄成分光を利用する。
【００１７】
図１に示すように、投写型映像表示装置１００は、光源１０と、複数の液晶パネル３０（液晶パネル３０Ｒ、液晶パネル３０Ｇ、液晶パネル３０Ｂ及び液晶パネル３０Ｙｅ）と、クロスダイクロイックキューブ６０と、投写レンズユニット１１０とを備える。なお、図１では、光源１０が発する光を均質化するフライアイレンズや、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。
【００１８】
光源１０は、白色光を発するＵＨＰランプなどである。すなわち、光源１０が発する光は、赤成分光、緑成分光、青成分光及び黄成分光を少なくとも含む。
【００１９】
黄成分光は、上述したように、第４色成分光である。黄成分光は、赤成分光及び緑成分光のいずれか一方、又は、赤成分光及び緑成分光の双方に重畳される。本実施形態では、黄成分光は、緑成分光に重畳され、液晶パネル３０Ｇに入射する。黄成分光の色相は、青成分光の色相に隣接しておらず、赤成分光及び緑成分光の色相に隣接する。
【００２０】
液晶パネル３０Ｒは、後述するように、赤入力信号（具体的には、赤入力信号Ｒｉｎから算出される赤用出力信号Ｒｏｕｔ）に応じて赤成分光を変調する。なお、液晶パネル３０Ｒの光入射側及び光出射側には、一対の偏光板３１Ｒ、３２Ｒが設けられている。
【００２１】
同様に、液晶パネル３０Ｇは、緑入力信号（具体的には、緑入力信号Ｇｉｎから算出される緑用出力信号Ｇｏｕｔ）に応じて緑成分光を変調し、液晶パネル３０Ｂは、青入力信号（具体的には、青入力信号Ｂｉｎから算出される青用出力信号Ｂｏｕｔ）に応じて青成分光を変調する。なお、液晶パネル３０Ｇ及び液晶パネル３０Ｂの光入射側及び光出射側には、一対の偏光板３１Ｇ、３２Ｇ及び一対の偏光板３１Ｂ、３２Ｂが設けられている。
【００２２】
一方で、液晶パネル３０Ｙｅは、赤入力信号、緑入力信号及び青入力信号に基づいて算出される黄用調整信号Ｙｅ’に応じて黄成分光を変調する。これによって、液晶パネル３０Ｙｅの変調量の制御が行われる。ここで、液晶パネル３０Ｙｅの変調量の制御とは、液晶パネル３０Ｙｅを透過する黄成分光の光量の制御である。従って、液晶パネル３０Ｙｅの変調量の制御とは、緑成分光に重畳される黄成分光の重畳量の制御である。
【００２３】
なお、液晶パネル３０Ｙｅの光入射側及び光出射側の少なくとも一方に偏光板（不図示）が設けられていてもよい。液晶パネル３０Ｙｅから出射される光は、液晶パネル３０Ｇに入射する。すなわち、液晶パネル３０Ｇは、液晶パネル３０Ｙｅとクロスダイクロイックキューブ６０との間に設けられている。
【００２４】
ここで、液晶パネル３０Ｙｅの解像度は、液晶パネル３０Ｒ、液晶パネル３０Ｇ及び液晶パネル３０Ｂの解像度と異なる。具体的には、スクリーン（不図示）上に高精細な映像を表示するために、液晶パネル３０Ｒ、液晶パネル３０Ｇ及び液晶パネル３０Ｂは高い解像度を有する。一方で、液晶パネル３０Ｙｅから出射される光は主として照明光として利用される。従って、液晶パネルに設けられた電極などによって光利用効率が低下しないように、液晶パネル３０Ｙｅの解像度は、液晶パネル３０Ｒ、液晶パネル３０Ｇ及び液晶パネル３０Ｂの解像度よりも低いことが好ましいが同程度であってもよい。
【００２５】
なお、解像度が低いとは、液晶パネル３０Ｙｅが解像度を有していないことも含む概念である。従って、液晶パネル３０Ｙｅは、複数の領域毎に変調量が制御可能に構成されている必要はなく、全面の変調量のみが制御される構成を有していてもよい。
【００２６】
クロスダイクロイックキューブ６０は、液晶パネル３０Ｒ、液晶パネル３０Ｇ及び液晶パネル３０Ｂから出射される光を合成する色合成部である。すなわち、クロスダイクロイックキューブ６０は、液晶パネル３０Ｒから出射される赤成分光及び黄成分光、液晶パネル３０Ｇから出射される緑成分光及び液晶パネル３０Ｂから出射される青成分光を合成する。また、クロスダイクロイックキューブ６０は、赤成分光、緑成分光、青成分光及び黄成分光を含む合成光（映像光）を投写レンズユニット１１０側に出射する。
【００２７】
投写レンズユニット１１０は、クロスダイクロイックキューブ６０によって合成された合成光をスクリーン（不図示）上に投写する。
【００２８】
また、投写型映像表示装置１００は、複数のミラー群（ミラー２１〜ミラー２５）を有する。ミラー２１は、青成分光、緑成分光及び黄成分光を含む光を透過し、赤成分光を反射するダイクロイックミラーである。ミラー２２は、赤成分光を液晶パネル３０Ｒ側に反射するミラーである。ミラー２３は、緑成分光及び黄成分光を含む他の光を液晶パネル３０Ｇ側に反射し、青成分光を透過するダイクロイックミラーである。ミラー２４及びミラー２５は、青成分光を液晶パネル３０Ｂ側に反射するミラーである。
【００２９】
ここで、投写型映像表示装置１００は、黄成分光の偏光方向を９０°回転させる位相差板５０をさらに有する。具体的には、位相差板５０は、緑成分光と偏光方向が揃っていた黄成分光の偏光方向を略９０°回転させて、黄成分光を液晶パネル３０Ｇ側に出射する。
【００３０】
位相差板５０を設けるか否かについては任意であるが、以下のように、液晶パネル３０Ｙｅのタイプ及び位相差板５０の有無によって、液晶パネル３０Ｙｅに印加される電圧が制御されることに留意すべきである。
【００３１】
具体的には、液晶パネル３０Ｙｅから出射された黄成分光の偏光方向が、液晶パネル３０Ｇに入射する緑成分光の偏光方向と異なる場合には、液晶パネル３０Ｇの入射側に設けられた偏光板３１Ｇによって黄成分光が遮光される。
【００３２】
従って、液晶パネル３０Ｙｅに電圧を印加すべきか否かについては、電圧の印加状態と偏光の回転との関係に基づいて制御される。以下においては、電圧が印加されていない状態では偏光方向を回転し、電圧が印加された状態では偏光方向を回転しない第１タイプの液晶パネルと、電圧が印加されていない状態では偏光方向を回転せず、電圧が印加された状態では偏光方向を回転する第２タイプの液晶パネルとを例に挙げて説明する。
【００３３】
（１）液晶パネル３０Ｙｅが第１タイプであるケース
（１−１）位相差板５０が設けられていないケース
黄成分光をオフにする場合には、液晶パネル３０Ｙｅに電圧を印加しない。これによって、液晶パネル３０Ｙｅが黄成分光の偏光方向を回転させるため、黄成分光の偏光方向が緑成分光の偏光方向と異なることになる。すなわち、液晶パネル３０Ｇの入射側に設けられた偏光板によって黄成分光が遮光される。
【００３４】
黄成分光をオンにする場合には、液晶パネル３０Ｙｅに電圧を印加する。これによって、液晶パネル３０Ｙｅが黄成分光の偏光方向を回転させないため、黄成分光の偏光方向が緑成分光の偏光方向と同じになる。
【００３５】
（１−２）位相差板５０が設けられているケース
黄成分光をオフにする場合には、液晶パネル３０Ｙｅに電圧を印加する。これによって、位相差板５０が黄成分光の偏光方向を回転させた後に、液晶パネル３０Ｙｅが黄成分光の偏光方向を回転させないため、黄成分光の偏光方向が緑成分光の偏光方向と異なることになる。すなわち、液晶パネル３０Ｇの入射側に設けられた偏光板によって黄成分光が遮光される。
【００３６】
黄成分光をオンにする場合には、液晶パネル３０Ｙｅに電圧を印加しない。これによって、位相差板５０が黄成分光の偏光方向を回転させた後に、液晶パネル３０Ｙｅが黄成分光の偏光方向をさらに回転させるため、黄成分光の偏光方向が緑成分光の偏光方向と同じになる。
【００３７】
（２）液晶パネル３０Ｙｅが第２タイプであるケース
（２−１）位相差板５０が設けられていないケース
黄成分光をオフにする場合には、液晶パネル３０Ｙｅに電圧を印加する。これによって、液晶パネル３０Ｙｅが黄成分光の偏光方向を回転させるため、黄成分光の偏光方向が緑成分光の偏光方向と異なることになる。すなわち、液晶パネル３０Ｇの入射側に設けられた偏光板によって黄成分光が遮光される。
【００３８】
黄成分光をオンにする場合には、液晶パネル３０Ｙｅに電圧を印加しない。これによって、液晶パネル３０Ｙｅが黄成分光の偏光方向を回転させないため、黄成分光の偏光方向が緑成分光の偏光方向と同じになる。
【００３９】
（２−２）位相差板５０が設けられているケース
黄成分光をオフにする場合には、液晶パネル３０Ｙｅに電圧を印加しない。これによって、位相差板５０が黄成分光の偏光方向を回転させた後に、液晶パネル３０Ｙｅが黄成分光の偏光方向を回転させないため、黄成分光の偏光方向が緑成分光の偏光方向と異なることになる。すなわち、液晶パネル３０Ｇの入射側に設けられた偏光板によって黄成分光が遮光される。
【００４０】
黄成分光をオンにする場合には、液晶パネル３０Ｙｅに電圧を印加する。これによって、位相差板５０が黄成分光の偏光方向を回転させた後に、液晶パネル３０Ｙｅが黄成分光の偏光方向をさらに回転させるため、黄成分光の偏光方向が緑成分光の偏光方向と同じになる。ここで、表１は、上述した電圧の印加状態と偏光の回転との関係をまとめた表である。
【表１】
2010061045.tif 000003
【００４１】
（投写型映像表示装置の機能）
以下において、実施形態に係る投写型映像表示装置の機能について、図面を参照しながら説明する。図２は、実施形態に係る投写型映像表示装置１００（制御部１３０）の機能を示すブロック図である。
【００４２】
図２に示すように、制御部１３０は、入力信号受付部１３１と、Ｙｅ置換成分算出部１３２と、パラメータ特定部１３３と、Ｙｅ成分調整部１３４と、補正部１３５とを有する。
【００４３】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎをパラメータ特定部１３３及び補正部１３５に入力する。入力信号受付部１３１は、赤入力信号Ｒｉｎ及び緑入力信号ＧｉｎをＹｅ置換成分算出部１３２に入力する。
【００４４】
Ｙｅ置換成分算出部１３２は、赤成分光及び緑成分光を黄成分光によって代替可能な成分（Ｙｅ置換成分）に対応するＹｅ置換信号Ｗを算出する。
【００４５】
ここで、赤成分光及び緑成分光は、赤成分光及び緑成分光と等しい光量を有する黄成分光によって代替可能である。従って、赤入力信号Ｒｉｎ及び緑入力信号Ｇｉｎは、赤入力信号Ｒｉｎ及び緑入力信号Ｇｉｎと等しい信号強度を有するＹｅ置換信号Ｗによって代替可能である。
【００４６】
従って、Ｙｅ置換成分算出部１３２は、赤入力信号Ｒｉｎ及び緑入力信号Ｇｉｎに基づいて、以下の（式１）に従って、Ｙｅ置換信号Ｗを算出する。
【００４７】
［数１］
Ｗ＝ｍｉｎ（Ｒｉｎ，Ｇｉｎ）・・・（式１）
なお、ｍｉｎ（Ｒｉｎ，Ｇｉｎ）は、赤入力信号Ｒｉｎ及び緑入力信号Ｇｉｎのうち、信号強度が低い入力信号である。
【００４８】
Ｙｅ置換成分算出部１３２は、Ｙｅ置換信号ＷをＹｅ成分調整部１３４に入力する。
【００４９】
パラメータ特定部１３３は、赤入力信号Ｒｉｎ、緑入力信号Ｇｉｎ及び青入力信号Ｂｉｎによって再現される映像の平均彩度や平均輝度などを算出する。続いて、パラメータ特定部１３３は、平均彩度や平均輝度などに基づいて定められるパラメータαを特定し、パラメータαをＹｅ成分調整部１３４に入力する。このようなパラメータαは、赤（Ｒ）、緑（Ｇ）、青（Ｂ）及び黄（Ｙｅ）に相当する色相毎に定められていてもよい。さらに、パラメータαは、色相毎に異なる値であってもよい。
【００５０】
Ｙｅ成分調整部１３４は、黄成分光の重畳量を特定する。具体的には、Ｙｅ成分調整部１３４は、パラメータα及びＹｅ置換信号Ｗに基づいて、黄成分光の重畳量を制御する黄調整信号Ｙｅ’を算出する。具体的には、Ｙｅ成分調整部１３４は、以下の（式２）に基づいて、黄調整信号Ｙｅ’を算出する。
【００５１】
［数２］
Ｙｅ’＝Ｗ×α・・・（式２）
補正部１３５は、赤入力信号Ｒｉｎ、緑入力信号Ｇｉｎ、青入力信号Ｂｉｎ、及び黄調整信号Ｙｅ’を補正する。これによって、クロスダイクロイックキューブ６０から出射される、赤成分光、緑成分光、青成分光及び黄成分光を含む合成光における色むらを抑制する。
【００５２】
具体的には、補正部１３５は、図３に示すように、重畳判定部２００、第１補正部２０１、第２補正部２０２及び補正係数格納部２０３を備える。
【００５３】
重畳判定部２００は、黄調整信号Ｙｅ’に基づいて、赤成分光、緑成分光及び青成分光のいずれかに黄成分光が重畳されるか否かを判定する。例えば、黄成分光の重畳量は、“０”〜“１”の範囲で指数化される。重畳量“０”は、黄成分光が重畳されないことを示し、重畳量“１”は、黄成分光の重畳量が最大であることを示す。従って、重畳判定部２００は、黄成分光の重畳量が“０”である場合には、黄成分光が重畳されないと判定する。一方、重畳判定部２００は、黄成分光の重畳量が“０”より大きい場合には、黄成分光が重畳されると判定する。
【００５４】
補正係数格納部２０３は、赤入力信号Ｒｉｎ、緑入力信号Ｇｉｎ、青入力信号Ｂｉｎを補正するためのＲＧＢ補正係数Ｐと、黄調整信号Ｙｅ’を補正するためのＹｅ補正係数Ｑとを格納する。
【００５５】
具体的には、補正係数格納部２０３は、図４（ａ）に示すように、投写レンズユニット１１０から出射された合成光が投写されるスクリーンを複数エリアに分割すると共に、エリアごとにＲＧＢ補正係数Ｐｘｙを格納する。ｘは、スクリーンの水平方向における位置を示し、ｙは、スクリーンの垂直方向における位置を示す。各ＲＧＢ補正係数Ｐｘｙは、同一エリアについて、ＲＧＢ合成光の階調Ｖごとに区別して格納されている。各ＲＧＢ補正係数Ｐｘｙは、投写型映像表示装置１００の製造工程において、ＲＧＢ合成光をスクリーン上に投写した場合に、合成画像に生じる色むらの位置と程度とに応じて設定される。
【００５６】
また、補正係数格納部２０３は、図４（ｂ）に示すように、エリアごとにＹｅ補正係数Ｑｘｙを格納する。ｘは、スクリーンの水平方向における位置を示し、ｙは、スクリーンの垂直方向における位置を示す。各Ｙｅ補正係数Ｑｘｙは、同一エリアについて、Ｙｅ単独光の階調Ｖごとに区別して格納されている。各Ｙｅ補正係数Ｑｘｙは、投写型映像表示装置１００の製造工程において、スクリーン上にＹｅ単独光をスクリーン上に投写した場合に合成画像に生じる色むらに応じて設定されるＲＧＢＹｅ補正係数Ｒｘｙと、ＲＧＢ補正係数Ｐｘｙとに応じて設定される。具体的には、以下の（式３）に従って、各Ｙｅ補正係数Ｑｘｙを算出する。
【００５７】
［数３］
Ｑｘｙ＝Ｒｘｙ−Ｐｘｙ・・・（式３）
従って、ＲＧＢＹｅ合成光によって生じる色むらは、ＲＧＢ合成光によって生じる色むらとＹｅ単独光によって生じる色むらとの和であるということができる。
【００５８】
第１補正部２０１は、赤入力信号Ｒｉｎ、緑入力信号Ｇｉｎ、青入力信号Ｂｉｎ、及び黄調整信号Ｙｅ’を取得する。第１補正部２０１は、重畳判定部２００によって黄成分光が重畳されると判定された場合、各Ｙｅ補正係数Ｑｘｙに基づいて黄調整信号Ｙｅ’を補正する。これによって、第１補正部２０１は、補正後黄調整信号Ｙｅ’’を生成する。なお、第１補正部２０１は、赤入力信号Ｒｉｎ、緑入力信号Ｇｉｎ、青入力信号Ｂｉｎを補正せずに第２補正部２０２に対して出力する。
【００５９】
第２補正部２０２は、赤入力信号Ｒｉｎ、緑入力信号Ｇｉｎ、青入力信号Ｂｉｎ及び補正後黄調整信号Ｙｅ’’を取得する。第２補正部２０２は、各ＲＧＢ補正係数Ｐｘｙに基づいて、赤入力信号Ｒｉｎ、緑入力信号Ｇｉｎ、青入力信号Ｂｉｎを一括して補正する。これによって、第１補正部２０１は、赤用出力信号Ｒｏｕｔ、緑用出力信号Ｇｏｕｔ、青用出力信号Ｂｏｕｔを生成する。なお、第２補正部２０２は、補正後黄調整信号Ｙｅ’’を補正せずに黄用出力信号Ｙｅｏｕｔとして出力する。
【００６０】
（作用及び効果）
本実施形態では、投写型映像表示装置１００は、黄用調整信号Ｙｅ’に応じて、黄成分光を変調する液晶パネル３０Ｙｅを備える。補正部１３５は、赤入力信号Ｒｉｎ、緑入力信号Ｇｉｎ、青入力信号Ｂｉｎ及び黄調整信号Ｙｅ’を補正することによって、赤成分光、緑成分光、青成分光及び黄成分光の合成光における色むらを抑制する。
【００６１】
従って、４板式の投写型映像表示装置１００において、黄成分光に特有の色むらを効果的に抑制することができる。
【００６２】
また、本実施形態に係る補正部１３５は、黄調整信号Ｙｅ’を補正することによって、黄成分光の単独光における色むらを抑制する第１補正部２０１と、赤入力信号Ｒｉｎ、緑入力信号Ｇｉｎ及び青入力信号Ｂｉｎを一括して補正することによって、赤成分光、緑成分光及び青成分光の合成光における色むらを抑制する第２補正部２０２とを有する。
【００６３】
このように、黄調整信号Ｙｅ’を補正することによって、黄成分光に特有の色むらを除去するとともに、ＲＧＢ合成光に特有の色むらを除去することができる。従って、黄成分光及びＲＧＢ合成光それぞれに由来する色むらを効率的に抑制することができる。
【００６４】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６５】
例えば、上記実施形態では、第１補正部２０１において黄調整信号Ｙｅ’を補正した後に、第２補正部２０２において赤入力信号Ｒｉｎ、緑入力信号Ｇｉｎ及び青入力信号Ｂｉｎを補正することとしたが、これに限られるものではない。第１補正部２０１における補正と第２補正部２０２における補正とを同時に行ってもよいし、第２補正部２０２における補正を第１補正部２０１における補正より先に行ってもよい。
【００６６】
また、上記実施形態では、黄成分光の重畳量は、赤成分光及び緑成分光を代替するＹｅ置換成分に基づいて算出されることとしたが、これに限定されるものではない。黄成分光の重畳量は、所定の固定値であってもよい。
【００６７】
また、上記実施形態では、第４色成分光は黄成分光であることとしたが、これに限定されるものではない。第４色成分光は、シアン成分光やマゼンタ成分光であってもよい。
【００６８】
また、上記実施形態では、黄成分光の重畳量は、液晶パネル３０Ｙｅの変調量によって制御されるが、これに限定されるものではない。例えば、黄成分光の重畳量は、黄成分光の光路上に設けられたアイリス機構によって制御されてもよい。
【００６９】
また、上記実施形態では、光変調素子の一例として、液晶パネルを例に挙げたが、これに限定されるものではない。具体的には、光変調素子は、ＬＣＯＳ（Ｌｉｑｕｉｄ  Ｃｒｙｓｔａｌ  ｏｎ  Ｓｉｌｉｃｏｎ）やＤＭＤ（Ｄｉｇｉｔａｌ  Ｍｉｃｒｏｍｉｒｒｏｒ  Ｄｅｖｉｃｅ）などであってもよい。
【００７０】
また、上記実施形態では特に触れていないが、第１補正部２０１は、液晶パネル３０Ｙｅの温度や投写型映像表示装置１００の使用環境温度に応じて、各Ｙｅ補正係数Ｑｘｙを補正してもよい。具体的には、黄成分光による色むら特性が液晶パネル３０Ｙｅの温度などによって変化する場合には、色むら特性の変化に応じて各Ｙｅ補正係数Ｑｘｙを補正することが好ましい。
【００７１】
また、上記実施形態では特に触れていないが、第１補正部２０１は、黄成分光の重畳量に応じて、各Ｙｅ補正係数Ｑｘｙを補正してもよい。具体的には、黄成分光による色むら特性が黄成分光の重畳量によって変化する場合には、色むら特性の変化に応じて各Ｙｅ補正係数Ｑｘｙを補正することが好ましい。
【図面の簡単な説明】
【００７２】
【図１】本発明の実施形態に係る投写型映像表示装置１００の概略を示す図である。
【図２】本発明の実施形態に係る制御部１３０の構成を示すブロック図である。
【図３】本発明の実施形態に係る補正部１３５の構成を示すブロック図である。
【図４】本発明の実施形態に係る補正係数格納部２０３が格納する補正係数を示す図である。
【符号の説明】
【００７３】
１０・・・光源、２１〜２５・・・ミラー、３０・・・液晶パネル、３１〜３２・・・偏光板、５０・・・位相差板、６０・・・ダイクロイックキューブ、１００・・・投写型映像表示装置、１１０・・・投写レンズ、１３０・・・制御部、１３１・・・入力信号受付部、１３２・・・Ｙｅ置換成分算出部、１３３・・・パラメータ特定部、１３４・・・Ｙｅ成分調整部、１３５・・・補正部、重畳判定部２００、第１補正部２０１、第２補正部２０２、補正係数格納部２０３
【図１】
2010061045.tif 000004
【図２】
2010061045.tif 000005
【図３】
2010061045.tif 000006
【図４】
2010061045.tif 000007